【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
疼痛に苦しむ被験者の疼痛の治療において使用するための医薬を製造するための、スフェンタニルを含む製剤の使用であって、治療が、少なくとも２４時間の期間にわたって約１μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約１μｇ／時間のスフェンタニルの実質的連続送達に十分な量のスフェンタニルを含む、使用。
【請求項２】
上記期間が少なくとも３日間である、請求項１記載の使用。
【請求項３】
上記期間が少なくとも５日間である、請求項１記載の使用。
【請求項４】
上記期間が少なくとも１０日間である、請求項１記載の使用。
【請求項５】
上記期間が少なくとも３０日間である、請求項１記載の使用。
【請求項６】
上記期間が少なくとも９０日間である、請求項１記載の使用。
【請求項７】
上記期間が少なくとも１ヶ月間である、請求項１記載の使用。
【請求項８】
上記期間が少なくとも６ヶ月間である、請求項１記載の使用。
【請求項９】
上記期間が少なくとも１２ヶ月間である、請求項１記載の使用。
【請求項１０】
疼痛に苦しむ被験者の疼痛の治療において使用するための医薬を製造するための、スフェンタニルを含む製剤の使用であって、治療が、少なくとも２４時間の期間にわたって約２．５μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約２．５μｇ／時間のスフェンタニルの実質的連続送達に十分な量のスフェンタニルを含む、使用。
【請求項１１】
上記期間が少なくとも３日間である、請求項１０記載の使用。
【請求項１２】
上記期間が少なくとも５日間である、請求項１０記載の使用。
【請求項１３】
上記期間が少なくとも１０日間である、請求項１０記載の使用。
【請求項１４】
上記期間が少なくとも３０日間である、請求項１０記載の使用。
【請求項１５】
上記期間が少なくとも９０日間である、請求項１０記載の使用。
【請求項１６】
上記期間が少なくとも１ヶ月間である、請求項１０記載の使用。
【請求項１７】
疼痛に苦しむ被験者の疼痛の治療において使用するための医薬を製造するための、スフェンタニルを含む製剤の使用であって、治療が、少なくとも２４時間の期間にわたって約３μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約３μｇ／時間のスフェンタニルの実質的連続送達に十分な量のスフェンタニルを含む、使用。
【請求項１８】
上記期間が少なくとも３日間である、請求項１７記載の使用。
【請求項１９】
上記期間が少なくとも５日間である、請求項１７記載の使用。
【請求項２０】
上記期間が少なくとも１０日間である、請求項１７記載の使用。
【請求項２１】
上記期間が少なくとも３０日間である、請求項１７記載の使用。
【請求項２２】
上記期間が少なくとも９０日間である、請求項１７記載の使用。
【請求項２３】
上記期間が少なくとも１ヶ月間である、請求項１７記載の使用。
【請求項２４】
疼痛に苦しむ被験者の疼痛の治療において使用するための医薬を製造するための、スフェンタニルを含む製剤の使用であって、治療が、少なくとも２４時間の期間にわたって約１０μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約１０μｇ／時間のスフェンタニルの実質的連続送達に十分な量のスフェンタニルを含む、使用。
【請求項２５】
上記期間が少なくとも３日間である、請求項２４記載の使用。
【請求項２６】
上記期間が少なくとも５日間である、請求項２４記載の使用。
【請求項２７】
上記期間が少なくとも１０日間である、請求項２４記載の使用。
【請求項２８】
上記期間が少なくとも３０日間である、請求項２４記載の使用。
【請求項２９】
上記期間が少なくとも９０日間である、請求項２４記載の使用。
【請求項３０】
上記期間が少なくとも１ヶ月間である、請求項２４記載の使用。
【請求項３１】
疼痛に苦しむ被験者の疼痛の治療において使用するための医薬を製造するための、スフェンタニルを含む製剤の使用であって、治療が、少なくとも２４時間の期間にわたって約２０μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約２０μｇ／時間のスフェンタニルの実質的連続送達に十分な量のスフェンタニルを含む、使用。
【請求項３２】
上記期間が少なくとも３日間である、請求項３１記載の使用。
【請求項３３】
上記期間が少なくとも５日間である、請求項３１記載の使用。
【請求項３４】
上記期間が少なくとも１０日間である、請求項３１記載の使用。
【請求項３５】
上記期間が少なくとも３０日間である、請求項３１記載の使用。
【請求項３６】
上記期間が少なくとも９０日間である、請求項３１記載の使用。
【請求項３７】
上記期間が少なくとも１ヶ月間である、請求項３１記載の使用。
【請求項３８】
疼痛に苦しむ被験者の疼痛の治療において使用するための医薬を製造するための、スフェンタニルを含む製剤の使用であって、治療が、少なくとも２４時間の期間にわたって約３０μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約３０μｇ／時間のスフェンタニルの実質的連続送達に十分な量のスフェンタニルを含む、使用。
【請求項３９】
上記期間が少なくとも３日間である、請求項３８記載の使用。
【請求項４０】
上記期間が少なくとも５日間である、請求項３８記載の使用。
【請求項４１】
上記期間が少なくとも１０日間である、請求項３８記載の使用。
【請求項４２】
上記期間が少なくとも３０日間である、請求項３８記載の使用。
【請求項４３】
上記期間が少なくとも９０日間である、請求項３８記載の使用。
【請求項４４】
上記期間が少なくとも１ヶ月間である、請求項３８記載の使用。
【請求項４５】
疼痛に苦しむ被験者の疼痛の治療において使用するための医薬を製造するための、スフェンタニルを含む製剤の使用であって、治療が、少なくとも２４時間の期間にわたって約４０μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約４０μｇ／時間のスフェンタニルの実質的連続送達に十分な量のスフェンタニルを含む、使用。
【請求項４６】
上記期間が少なくとも３日間である、請求項４５記載の使用。
【請求項４７】
上記期間が少なくとも５日間である、請求項４５記載の使用。
【請求項４８】
上記期間が少なくとも１０日間である、請求項４５記載の使用。
【請求項４９】
上記期間が少なくとも３０日間である、請求項４５記載の使用。
【請求項５０】
上記期間が少なくとも９０日間である、請求項４５記載の使用。
【請求項５１】
上記期間が少なくとも１ヶ月間である、請求項４５記載の使用。
【請求項５２】
疼痛に苦しむ被験者の疼痛の治療において使用するための医薬を製造するための、スフェンタニルを含む製剤の使用であって、治療が、少なくとも２４時間の期間にわたって約５０μｇ／時間のスフェンタニルの実質的連続送達を提供するためにスフェンタニルを被験者に治療的有効速度で全身投与することを含み、該投与により、被験者において全身無痛が誘発され、かつ、該製剤が、該少なくとも２４時間の期間にわたる約５０μｇ／時間のスフェンタニルの実質的連続送達に十分な量のスフェンタニルを含む、使用。
【請求項５３】
上記期間が少なくとも３日間である、請求項５２記載の使用。
【請求項５４】
上記期間が少なくとも５日間である、請求項５２記載の使用。
【請求項５５】
上記期間が少なくとも１０日間である、請求項５２記載の使用。
【請求項５６】
上記期間が少なくとも３０日間である、請求項５２記載の使用。
【請求項５７】
上記期間が少なくとも９０日間である、請求項５２記載の使用。
【請求項５８】
上記期間が少なくとも１ヶ月間である、請求項５２記載の使用。
【請求項５９】
疼痛に苦しむ被験者の疼痛の治療において使用するための医薬を製造するための、スフェンタニルを含む製剤の使用であって、治療が、４８時間またはそれ以上にわたって２ｍｌ／日またはそれ以下の低容量速度で被験者にスフェンタニルを全身投与することを含み、該投与が、被験者に無痛を提供するのに十分である、使用。
【請求項６０】
パターン化された送達計画を用いて製剤を送達する、請求項５９記載の使用。
【請求項６１】
実質的に連続な様式で製剤を送達する、請求項６０記載の使用。
【請求項６２】
予め選択された期間にわたって実質的に中断されない様式で製剤を送達する、請求項６０記載の使用。
【請求項６３】
実質的に一定の様式で製剤を送達する、請求項６０記載の使用。
【請求項６４】
長期間にわたって製剤を送達する、請求項６０記載の使用。
【請求項６５】
約７２時間の期間にわたって製剤を送達する、請求項６４記載の使用。
【請求項６６】
２〜５日間の期間にわたって製剤を送達する、請求項６４記載の使用。
【請求項６７】
少なくとも１００日間の期間にわたって製剤を送達する、請求項６４記載の使用。
【請求項６８】
０．０１μｌ／日〜１００μｌ／日の容量速度で被験者に製剤を送達する、請求項５９記載の使用。
【請求項６９】
約０．０４μｌ／日〜約１０μｌ／日の容量速度で被験者に製剤を送達する、請求項５９記載の使用。
【請求項７０】
約０．２μｌ／日〜約５μｌ／日の容量速度で被験者に製剤を送達する、請求項５９記載の使用。
【請求項７１】
約０．５μｌ／日〜約１μｌ／日の容量速度で被験者に製剤を送達する、請求項５９記載の使用。
【請求項７２】
疼痛に苦しむ被験者の疼痛の治療において使用するための医薬を製造するための、スフェンタニルを含む製剤の使用であって、治療が、スフェンタニルを含む製剤を被験者に送達することを含み、該スフェンタニルが、約０．５ｍｇ／ｍｌ〜約５００ｍｇ／ｍｌまたはそれ以上の濃度で製剤中に存在し、さらに製剤が、約２ｍｌ／日またはそれ以下の低容量速度で被験者に投与されかつ被験者に無痛を提供するのに十分である、使用。
【請求項７３】
スフェンタニルが溶解状態である、請求項７２記載の使用。
【請求項７４】
スフェンタニルが液状キャリア中に溶解されている、請求項７３記載の使用。
【請求項７５】
製剤が、半固体、ゲル、液剤、懸濁剤、乳濁剤、または浸透性投与剤である、請求項７２記載の使用。
【請求項７６】
スフェンタニルが、水溶液中でのスフェンタニルの溶解度よりも少なくとも約２倍〜少なくとも約１０，０００倍高い濃度で製剤中に存在する、請求項７２記載の使用。
【請求項７７】
スフェンタニルが１ｍｇ／ｍｌ〜４００ｍｇ／ｍｌの濃度で製剤中に存在する、請求項７２記載の使用。
【請求項７８】
スフェンタニルが５０ｍｇ／ｍｌ〜４００ｍｇ／ｍｌの濃度で製剤中に存在する、請求項７２記載の使用。
【請求項７９】
スフェンタニルが７５ｍｇ／ｍｌ〜３００ｍｇ／ｍｌの濃度で製剤中に存在する、請求項７２記載の使用。
【請求項８０】
スフェンタニルが１００ｍｇ／ｍｌ〜２５０ｍｇ／ｍｌの濃度で製剤中に存在する、請求項７２記載の使用。
【請求項８１】
パターン化された送達計画を用いて製剤を送達する、請求項７２記載の使用。
【請求項８２】
実質的に連続な様式で製剤を送達する、請求項８１記載の使用。
【請求項８３】
予め選択された期間にわたって実質的に中断されない様式で製剤を送達する、請求項８１記載の使用。
【請求項８４】
実質的に一定の様式で製剤を送達する、請求項８１記載の使用。
【請求項８５】
長期間にわたって製剤を送達する、請求項８１記載の使用。
【請求項８６】
２〜４８時間の期間にわたって製剤を送達する、請求項８５記載の使用。
【請求項８７】
約２〜５日間の期間にわたって製剤を送達する、請求項８５記載の使用。
【請求項８８】
少なくとも１００日間の期間にわたって製剤を送達する、請求項８５記載の使用。
【請求項８９】
疼痛に苦しむ被験者の疼痛の治療において使用するための医薬を製造するための、スフェンタニルを含む製剤の使用であって、治療が、約０．０１μｇ／時間〜約２００μｇ／時間のスフェンタニルを被験者に送達するのに十分な低容量速度で、４８時間またはそれ以上にわたってスフェンタニルを含む製剤を被験者に送達することを含み、送達されるスフェンタニルの量が、被験者において全身無痛効果を確立するのに十分である、使用。
【請求項９０】
スフェンタニルが溶解状態である、請求項８９記載の使用。
【請求項９１】
スフェンタニルが液状キャリア中に溶解されている、請求項９０記載の使用。
【請求項９２】
製剤が、半固体、ゲル、液剤、懸濁剤、乳濁剤、または浸透投与用薬学的製剤である、請求項８９記載の使用。
【請求項９３】
全身無痛効果が、被験者の疼痛を管理するのに十分である、請求項８９記載の使用。
【請求項９４】
全身無痛効果が、被験者の疼痛を治療するのに十分である、請求項８９記載の使用。
【請求項９５】
全身無痛効果が、被験者において疼痛反応を調節するのに十分である、請求項８９記載の使用。
【請求項９６】
全身無痛効果が、被験者の疼痛を改善または緩和するのに十分である、請求項８９記載の使用。